(57)【特許請求の範囲】
【請求項１】
発電プラントに供給する冷却水として海水を用いる際に、該海水に塩素水を投入する海水電解式塩素注入装置であって、
前記海水電解式塩素注入装置の海水電解装置から供給する塩素水を、発電プラントの取水口近傍まで導入する塩素注入配管と、
該塩素注入配管の供給率の低下の予兆があった際、前記塩素注入配管を酸洗浄水で洗浄する酸洗浄手段と、
酸洗浄廃液を貯蔵する酸廃液貯蔵タンクとを具備することを特徴とする海水電解式塩素注入装置。
【請求項２】
請求項１において、
前記塩素注入配管が前記取水口に向かって、漸次傾斜して設けられ、
前記塩素注入配管の先端側から所定間隔をもって、弁を複数設けて閉塞空間を形成し、この閉塞空間内の傾斜が低い側の弁近傍に、酸注入ラインを設けて閉鎖空間内部に前記酸洗浄水を導入し、その内部を洗浄してなると共に、
閉塞空間の傾斜が高い側の弁近傍に廃液ラインを設け、前記酸洗浄廃液を排出してなることを特徴とする海水電解式塩素注入装置。
【請求項３】
請求項１において、
前記塩素注入配管が、陸上又は海底の山部と谷部とに沿って連続して設けられ、
前記塩素注入配管の谷部同士を弁で閉鎖して閉塞空間を形成し、
谷部に、酸注入ラインを設けて谷部側から前記酸洗浄水を閉鎖空間内に導入し、その内部を洗浄してなると共に、
山部に廃液ラインを設け、前記酸洗浄廃液を排出してなることを特徴とする海水電解式塩素注入装置。
【請求項４】
発電プラントに供給する冷却水として海水を用いる際に、該海水に塩素水を投入する海水電解式塩素注入装置であって、
海水を取水口から発電プラントに導入する海水導入管と、
該海水導入管内に延設され、前記海水電解式塩素注入装置の海水電解装置から供給する塩素水を、その取水口近傍まで導入する塩素注入配管と、
該塩素注入配管の供給率の低下の予兆があった際、塩素注入配管の先端側から酸洗浄水で洗浄する酸洗浄手段と、
酸洗浄廃液を貯蔵する酸廃液貯蔵タンクとを具備することを特徴とする海水電解式塩素注入装置。
【発明の詳細な説明】
【技術分野】
【０００１】
本発明は、塩素注入配管におけるスケールの除去を図る海水電解式塩素注入装置に関するものである。
【背景技術】
【０００２】
従来、沿岸に建設される発電プラントでは、発電システムの冷却水として海水が使用されており、海水を取水口から海水導入管を用いて、冷却海水として発電プラント内に導入している。海水を取水する海水取水系統では、海水中の付着生物対策として、海水導入管内に海水電解等を利用した塩素水による塩素注入が行われている。
【０００３】
海水電解式塩素注入装置は、発電プラントに隣接して設けられており、海水電解槽で海水より塩素を生成しており、この塩素を溶解した塩素水は、発電プラントに海水を導入する取水管の先端に導かれ、注入ノズル等により導水管内に注入している。
【０００４】
ところで、海水電解装置の電極表面では、海水中に含まれる水酸化マグネシウム、炭酸カルシウム等を主成分とするスケールが生成するため、電極表面の流速確保、定期的な電極洗浄が行われている。このため、塩素水には、海水電解装置内で析出した水酸化マグネシウム等のアルカリ分等が含まれこととなり、塩素配管内を流れている間に溶解し、塩素水のｐＨを上昇させる、という問題がある。
【０００５】
配管長が長く、塩素配管内で滞留時間が長い場合は、ある閾値ｐＨを越えた時点で、塩素水から炭酸カルシウムが析出し、塩素水中の砂等他の懸濁成分を含んだ強固なスケールを配管内で生成する。この、スケーリングが進むと、塩素注入配管が閉塞するおそれがある。
【０００６】
塩素水が冷却海水中に注入できなくなる場合、プラント海水系統で海洋生物が付着し、海水取水ができなくなりプラント停止につながるため、塩素配管内でのスケールを防止することは重要である。
【０００７】
そこで、本発明者等は、電解装置からの水酸化マグネシウム等のアルカリ分の配管への流入防止や塩素水のｐＨ調整、配管内流速確保による配管内での滞留時間低減と析出物のウォッシュアウト等の塩素配管内でのスケール防止方法について先に提案した（特許文献１）。
【先行技術文献】
【特許文献】
【０００８】
【特許文献１】特開２００６−２３１１９９号公報
【発明の概要】
【発明が解決しようとする課題】
【０００９】
特許文献１の提案では、例えば、スケールを除去する方法は既存システムより設備過大となり採用困難である。
また、塩素水のバルクのｐＨを調整したり、流速を上げる方法が採用されるが、バルクのｐＨを調整したり流速を上げても、固形の水酸化マグネシウムが堆積する配管曲がり部や複雑形状部では緩やかにスケール生成が継続し、完全にスケーリングを防止することは困難である、という問題がある。
【００１０】
この結果として、長期間運用後にはスケールが成長したり、剥離したスケールが詰まったりと、塩素水の安定注入を行うことができなくなる、という問題がある。
【００１１】
そこで、電解装置からの塩素水を供給する際において、塩素注入配管内に生成したスケールを除去する方法、スケール生成をさらに低減させる方法が切望されている。
【００１２】
本発明は、前記問題に鑑み、塩素注入配管におけるスケールの除去を図る海水電解式塩素注入装置を提供することを課題とする。
【課題を解決するための手段】
【００１３】
上述した課題を解決するための本発明の第１の発明は、発電プラントに供給する冷却水として海水を用いる際に、該海水に塩素水を投入する海水電解式塩素注入装置であって、前記海水電解式塩素注入装置の海水電解装置から供給する塩素水を、発電プラントの取水口近傍まで導入する塩素注入配管と、該塩素注入配管の供給率の低下の予兆があった際、前記塩素注入配管を酸洗浄水で洗浄する酸洗浄手段と、酸洗浄廃液を貯蔵する酸廃液貯蔵タンクとを具備することを特徴とする海水電解式塩素注入装置にある。
【００１４】
第２の発明は、第１の発明において、前記塩素注入配管が前記取水口に向かって、漸次傾斜して設けられ、前記塩素注入配管の先端側から所定間隔をもって、弁を複数設けて閉塞空間を形成し、この閉塞空間内の傾斜が低い側の弁近傍に、酸注入ラインを設けて閉鎖空間内部に前記酸洗浄水を導入し、その内部を洗浄してなると共に、閉塞空間の傾斜が高い側の弁近傍に廃液ラインを設け、前記酸洗浄廃液を排出してなることを特徴とする海水電解式塩素注入装置にある。
【００１５】
第３の発明は、第１の発明において、前記塩素注入配管が、陸上又は海底の山部と谷部とに沿って連続して設けられ、前記塩素注入配管の谷部同士を弁で閉鎖して閉塞空間を形成し、谷部に、酸注入ラインを設けて谷部側から前記酸洗浄水を閉鎖空間内に導入し、その内部を洗浄してなると共に、山部に廃液ラインを設け、前記酸洗浄廃液を排出してなることを特徴とする海水電解式塩素注入装置にある。
【００１６】
第４の発明は、発電プラントに供給する冷却水として海水を用いる際に、該海水に塩素水を投入する海水電解式塩素注入装置であって、海水を取水口から発電プラントに導入する海水導入管と、該海水導入管内に延設され、前記海水電解式塩素注入装置の海水電解装置から供給する塩素水を、その取水口近傍まで導入する塩素注入配管と、該塩素注入配管の供給率の低下の予兆があった際、塩素注入配管の先端側から酸洗浄水で洗浄する酸洗浄手段と、酸洗浄廃液を貯蔵する酸廃液貯蔵タンクとを具備することを特徴とする海水電解式塩素注入装置にある。
【発明の効果】
【００１７】
本発明によれば、塩素水を海水導入管に供給する塩素注入配管において、塩素水の供給率の低下の予兆があった際、塩素注入配管を酸洗浄水で洗浄することにより、塩素注入配管のスケールによる閉塞を未然に防止することができる。
【図面の簡単な説明】
【００１８】
【図１】図１は、本実施例に係る海水電解式塩素注入装置の概略図である。
【図２】図２は、塩素注入配管が海水導入管の取水口に向かって、徐々に傾斜している場合の概略図である。
【図３】図３は、塩素注入配管が海水導入管の取水口に向かって、徐々に傾斜している場合の他の概略図である。
【図４−１】図４−１は、海水導入管内に塩素注入配管を配設した一例を示す図である。
【図４−２】図４−２は、海水導入管内に塩素注入配管を配設した一例を示す図である。
【図５】図５は、陸上部において、塩素注入配管を設置する一例を示す図である。
【発明を実施するための形態】
【００１９】
以下、この発明につき図面を参照しつつ詳細に説明する。なお、この実施例により本発明が限定されるものではなく、また、実施例が複数ある場合には、各実施例を組み合わせて構成するものも含む。また、下記実施例における構成要素には、当業者が容易に想定できるもの、あるいは実質的に同一のものが含まれる。
【実施例１】
【００２０】
本発明による実施例に係る海水電解式塩素注入装置について、図面を参照して説明する。図１は、本実施例に係る海水電解式塩素注入装置の概略図である。
図１に示すように、本実施例に係る海水電解式塩素注入装置１０は、発電プラント１１に供給する冷却水として海水１２を用いる際に、該海水１２に塩素水１３を投入する海水電解式塩素注入装置１０であって、海水電解式塩素注入装置１０の海水電解装置１４から供給する塩素水１３を、発電プラント１１の取水口１５近傍まで導入する塩素注入配管１６と、塩素注入配管１６の供給率の低下の予兆があった際、塩素注入配管１６を酸洗浄水１７で洗浄する酸洗浄手段である酸タンク１８と、酸洗浄廃液１９を貯蔵する酸廃液貯蔵タンク２０とを具備するものである。
なお、海水電解装置１４に供給する海水１２は、発電プラント１１側より供給されているが、本発明はこれに限定されるものではない。
【００２１】
本実施例では、海水１２を取水する海水導水管１１ａ内の生物の付着を防止するために、海水電解装置１４で発生した塩素水１３を塩素注入配管１６により、その先端の取水口１５側から内部に供給している。
本発明では、この塩素水１３を供給する塩素注入配管１６の閉塞を予防するために、管内における炭酸カルシウムや水酸化マグネシウム等の付着物の発生を予兆し、該付着物を強酸（例えば塩酸）の酸洗浄水１７で効率よく洗浄するようにしている。
【００２２】
ここで、塩素注入配管１６内の付着物の発生の予兆の確認は、該塩素注入配管１６の閉塞状況（例えばポンプの吐出圧の上昇、流量計による流速の低下、音や振動の変化、光透過法による濁度の変化等）により求めるようにしている。
また、塩素注入配管１６の材質と同様の材質からなるモニタ用テストピースを別途準備し、海水電解装置１４からの塩素水１３を導入した条件を模擬し、スケール発生の状況を確認するようにしてもよい。
【００２３】
例えば流速計による確認では、設計流量の約１０％の減少があった場合に、スケール発生の予兆があると判断して、酸洗浄水１７による洗浄を実施するようにしている。
【００２４】
また、テストピースの場合には、スケール発生の目安としてスケール発生量に応じてランク付けをし、基準のランクとなった際に、スケール発生の予兆があると判断するようにすればよい。
また光透過法（例えば赤外線検査）により確認する場合には、配管内の複数個所に遠赤外線検査センサを設置し、光透過量が基準のランクとなった際に、スケール発生の予兆があると判断するようにすればよい。
【００２５】
本実施例では、塩素注入配管１６の先端側から炭酸カルシウムや水酸化マグネシウム、砂、藻、プランクトン、有機物等の混合物を主成分とする配管内付着物を溶解可能な薬液を供給するようにしている。この薬液としては、酸洗浄水１７を用いており、例えば海上に浮かぶ浮体３１に設けた酸タンク１８から酸注入ラインＬ1を介してポンプＰ1により酸洗浄水１７を供給するようにしている。
【００２６】
また、塩素注入配管１６の内部を酸洗浄水１７で洗浄後、管内の廃液や残渣を海水１２でブローするための洗浄用ラインＬ2が、酸注入ラインＬ1に合流している。このブロー操作により、塩素注入配管１６内に残留する酸洗浄水１７を除去するようにしている。このブロー操作のポンプＰ2は、浮体３１に設置されており、洗浄用ラインＬ2を介して酸注入ラインＬ1に海水を供給している。なお、このポンプＰ2は酸タンク１８側の浮体３１と一緒に設置するようにしてもよい。
【００２７】
これにより、配管内の酸洗浄水１７や残渣が発電プラント１１内に持ち込まれることが防止される。
このブロー操作は、例えば濁度計でブロー水の濁度を計測し、ブロー終了の判定をするようにすることができる。なお、目視評価でも、水中成分懸濁物濃度の化学分析評価をするようにしてもよい。
なお、ブロー水は発電プラント１１の冷却水１２の水質上問題なければ、取海水中に排出するようにしてもよい。
【００２８】
この酸洗浄操作、ブロー操作による配管洗浄時の酸廃液及び洗浄後の洗浄海水廃液は、発電プラント１１の陸上に設けられた酸廃液貯蔵タンク２０に廃液ラインＬ3を介して貯蔵される。
この酸廃液貯蔵タンク２０中の廃液は、別途処理設備にて処理される。
【００２９】
また、酸洗浄の際には、スケールの一種である炭酸カルシウムが強酸で二酸化炭素を発生しながら溶解するので、該スケール溶解時に生成するガス（二酸化炭素）を排出できるよう、あらかじめ傾斜をつけており、廃液ラインＬ3より外部に放出される。
【００３０】
酸タンク１８は、本実施例では、海上に浮遊する浮体３１に常設している例について説明したが、本発明はこれに限定されず、スケール除去操作の際に、港から酸タンク１８及びポンプＰ1、Ｐ2が設けられた浮体３１等を取水口１５の上方位置まで曳航し、例えばダイバー等により酸注入ラインＬ1を塩素注入配管１６の先端側に連結するようにしてもよい。
【００３１】
塩素注入配管１６の管内の閉塞状況は、モニタリング装置によりその予兆を監視し、予め設定した閾値を下回った時、あるいは、下回る前に、塩素注入配管１６内の洗浄操作を行うにしている。
【００３２】
この洗浄のための閾値としては、例えば、必要な単位時間当たりの塩素注入量が確保できない塩素水量等を例示することができる。
【００３３】
ここで、酸洗浄水１７によるスケールの除去について説明する。
酸洗浄水１７が塩素注入配管１６内に導入されるとスケールである炭酸カルシウムが強酸で二酸化炭素を発生しながら溶解する（下記式（１）参照）。この溶解作用を利用して塩素注入配管１６内のスケール内を洗浄・除去している。
ＣａＣＯ3＋２ＨＣｌ→ＣａＣｌ2＋ＣＯ2↑＋Ｈ2Ｏ・・・（１）
【００３４】
本発明では、酸洗浄水１７として強酸を使用し、ガスの発生有無を指標とすることで、どこにあるかわからない配管内のスケール溶解（洗浄終了）を確認すると共に、余分な酸注入を抑制することができる。
【００３５】
酸洗浄水１７として強酸を用いて化学的処理な方法を採用することで、ブラシ等を用いた物理的な手法等と異なり、配管長が長く（１ｋｍ以上）、また配管のどこでスケールが析出しているか判定困難な場合に有利となる。
【００３６】
酸洗浄水１７としては、無機酸である例えば塩酸、硝酸、硫酸、リン酸等を挙げることができるが、硝酸やリン酸は排水中の窒素やリンの処理が必要となるため使用することはできない。
塩酸を用いる場合は、塩酸中の塩素イオンは、もともと海水に多く含まれる成分であり、廃液はｐＨ調整（例えば５〜９）のみで良く、排出可能となる。
【００３７】
硫酸を用いる場合は、発熱や難溶解性の硫酸カルシウムが生成する可能性があるため、硫酸単体では使用せず、酸性を強めるための補助薬剤として使用するのが好ましい。
【００３８】
酸の濃度としては、塩酸は１１％〜３５％溶液、または、塩酸と硫酸の混合物を使用する。
【００３９】
また、スケール洗浄の際に発生するガスの発生検知手段としては、例えば吹流し、バルーン、風量計、風速計等を挙げることができる。
また、ガス中のＣＯ2濃度を計測するＣＯ2計測検知器を用いるようにしてもよい。
また、洗浄の終了点の判定法として、ガス検知以外としては、排出水のｐＨを計測するようにしてもよい。
【００４０】
塩素注入配管１６や系統内の付属品として、予め、耐酸性の良い配管材質や付属品を採用することで、薬液として、高濃度の酸を使用することが可能となる。これにより、洗浄時間を短縮できるとともに廃液処理槽容積を小さくできる。この結果、既設廃液処理設備の負荷を低減することができる。
【００４１】
耐酸性及び耐薬品性の良好な塩素注入配管１６としては、例えば硬質塩ビニル、ポリエチレン等の樹脂材料を用いた配管を例示することができる。
【００４２】
従来、配管が閉塞すると配管を交換するしかなかったが、洗浄設備を設けることで配管の寿命を伸ばすことができる。
塩素注入配管がスケールで閉塞し塩素注入が困難となった場合に、短時間で復旧可能となり、プラント１１に冷却水(海水)１２を安定して供給できるようになる。
高濃度の酸を使用することで、洗浄終了の終了判定が容易になり、酸の使用量を低減できると共に、スケールを確実に溶解できる。
また、処理する排液量を低減することができる。
【００４３】
塩素注入配管１６内にスケールが析出して、海水導水管１１ａの内部への塩素水１３の注入が困難になった場合でも、本実施例の対策を行うことで、塩素注入継続が可能となる。
【００４４】
以上のように本実施例によれば、塩素水１３を海水導入管１１ａに供給する塩素注入配管１６において、塩素水１３の供給率の低下の予兆があった際、塩素注入配管１６の内部を酸洗浄水１７で洗浄することにより、塩素注入配管１６のスケールによる閉塞を未然に防止することができ、安定して発電プラント１１の冷却を行うことができる。
【実施例２】
【００４５】
本発明による実施例に係る海水電解式塩素注入装置について、図面を参照して説明する。なお、図１の海水電解式塩素注入装置の構成と同一部材には同一の符号を付してその説明は省略する。
図２は、塩素注入配管が海水導入管の取水口に向かって、徐々に傾斜している場合の概略図である。
図２に示す本実施例に係る海水電解式塩素注入装置１０では、海底部Ｘにおいて、塩素注入配管１６が海水導入管１１ａの取水口１５に向かって、徐々に傾斜するようにしている。
【００４６】
このように漸次塩素注入配管１６を傾斜させている場合には、取水口１５側の第１弁Ｖ1及び第２弁Ｖ2を閉鎖し、酸注入ラインＬ1から酸洗浄水１７を導入し、酸注入ラインＬ1近傍の第１弁Ｖ1と第２弁Ｖ2との閉鎖空間内に、酸洗浄水１７を下方側から導入し、上方側の第２弁Ｖ2近傍に設けた廃液ラインＬ3から廃液及びガスを排出している。その後ブロー操作を行い、残留物を洗浄する。
【００４７】
次に、第３弁Ｖ3及び第４弁Ｖ4を閉鎖し、第３弁Ｖ3近傍の酸注入ラインＬ1から酸洗浄水１７を導入し、第３弁Ｖ3と第４弁Ｖ4との閉鎖空間内に、酸洗浄水１７を下方側から導入し、最初と同様に洗浄操作を行う。
この操作を取水口１５側から順に上方に向かって行い、塩素注入配管１６内の洗浄操作を完了する。
なお、塩素注入配管１６内部におけるスケールの設置状況に応じて、閉鎖空間及び弁の設置を適宜変更するようにすればよい。
【００４８】
このように、海底部Ｘにおいて、塩素注入配管１６に取水口１５に向かって予め傾斜をつけることで、洗浄時に生成したガスを効率的に排出できると共に、発生したガスの逆流も防止できる。
【００４９】
ここで、洗浄に使用する酸洗浄水１７は、塩素注入配管１６の容積分であるので、配管の径及び設置長さにもよるが、例えば配管径が８インチで長さが１．５ｋｍの場合には、一回の洗浄で約１８．５ｔが必要となる。
【００５０】
図３は、塩素注入配管が海水導入管の取水口に向かって、徐々に傾斜している場合の他の概略図である。
図３に示すように、塩素注入配管１６Ａとバイパス用塩素注入配管１６Ｂを設け、主塩素注入配管１６Ａの洗浄中にも、塩素注入を止めないように、バイパス塩素注入配管１６Ｂにより、塩素水１３の注入をできるようにしている。
また、バイパス用塩素注入配管１６Ｂも、同様に薬液洗浄できるようにしている。
なお、図３においては、酸注入ライン及び廃液ライン、弁等の説明は省略している。
【００５１】
この結果、主塩素注入配管１６Ａにおいて、閉塞の兆候があった場合、主塩素中注入配管１６Ａの洗浄中でも、塩素水１３の注入の継続が可能となり、プラント取水管である海水導入管１１ａの内面の生物付着リスクの低減を図ることができる。
【００５２】
また、酸洗浄水１７の注入は、連続注入と間欠注入とを、スケールの付着状況等により適宜設定するようにしている。
【００５３】
強酸を使用して塩素注入配管１６Ａ内のスケールを溶解させる場合、スケール付着量が多い場合には、スケール溶解反応で生成したガスが一度に発生するおそれがある。
このような大量のガスの発生があると、配管内の圧力が上昇するので好ましくない。
よって、配管の一端から、酸洗浄水１７を間欠注入することで、塩素注入配管１６Ａ内の圧力上昇の抑制を図ることができる。
間欠注入の場合には、酸洗浄水１７の注入後にガス発生状況やＣＯ2濃度等を観察し、酸注入の間隔のタイミングを決定するようにすればよい。
また、配管のガスがたまりやすい箇所に予め、ガス抜き用のベントを設けるようにしてもよい。
【００５４】
図４−１及び図４−２は、海水導入管内に塩素注入配管を配設した一例を示す図である。
図４−１及び図４−２に示すように、海水導入管１１ａの内部に沿って、塩素注入配管１６を設置する場合もある。
このような場合には、取水口１５の入口側から酸洗浄水１７を導入して塩素注入配管１６の内部のスケールを除去するようにしている。
なお、図４−２においても、酸注入ライン及び廃液ライン、弁等は必要に応じて設置できるようにしている。
【実施例３】
【００５５】
本発明による実施例に係る海水電解式塩素注入装置について、図面を参照して説明する。なお、図１の海水電解式塩素注入装置の構成と同一部材には同一の符号を付してその説明は省略する。
図５は、陸上部において、塩素注入配管を設置する一例を示す図である。
【００５６】
海水導水管１１ａに対して、図２に示すように、陸上から取水口１５に向かって順次斜めになるように塩素注入配管１６を設置することができる場合には、図２に示すような洗浄操作を繰り返すことで、内部のスケールの除去が可能となるが、発電プラント１１が設置された海域においては、必ずしも一定のピッチで斜めに配管を設けることは困難な場合がある。
【００５７】
図５に示すように、陸上部Ｙにおいて、塩素注入配管１６を設置する場合には、陸上部Ｙの起伏に富んだ地形に合わせて、長い距離（例えば２〜５ｋｍ、又はそれ以上）に亙って塩素注入配管１６を引き回す必要がある。
このような陸上部Ｙに山谷がある起伏に富んだ地形では、塩素注入配管１６に谷部と山部とができる場合がある。
【００５８】
このような山部と谷部とが形成された塩素注入配管１６内のスケールの除去を行う場合には、本実施例に係る海水電解式塩素注入装置１０のように、塩素注入配管１６の谷部同士を第１弁Ｖ1及び第２弁Ｖ2で閉鎖して閉塞空間を形成し、谷部近傍に設けた酸注入ラインＬ1を介して酸洗浄水１７を閉鎖空間内に導入し、その閉鎖空間内部を洗浄する。これと共に、山部に廃液ラインＬ3を設け、酸洗浄廃液１９を排出するようにしている。
【００５９】
特に、発電プラント１１の１号機や２号機は発電設備の初期であるので、塩素注入配管１６は比較的設計に尤度があるが、３号機や４号機となると、海底部Ｘに沿って塩素注入配管１６を設置するのが困難となる場合がある。
このような場合、支柱２１で支えた塩素注入配管１６に山部と谷部とがある場合には、谷部側近傍に第１弁Ｖ1及び第２弁Ｖ2を設け、この各々の弁近傍に酸注入ラインＬ1を設け、両方の谷側から酸洗浄水１７を導入してスケールを除去し、山部に設けた廃液ラインＬ3から廃液を排出するようにしている。
【符号の説明】
【００６０】
１０  海水電解式塩素注入装置
１１  発電プラント
１２  海水
１３  塩素水
１４  海水電解装置
１５  取水口
１６  塩素注入配管
１７  酸洗浄水
１８  酸タンク
１９  酸洗浄廃液
２０  酸廃液貯蔵タンク
【図１】
0005705761.tif 000002
【図２】
0005705761.tif 000003
【図３】
0005705761.tif 000004
【図４−１】
0005705761.tif 000005
【図４−２】
0005705761.tif 000006
【図５】
0005705761.tif 000007